(57)【要約】      （修正有）【課題】良好に動作する光ピックアップ装置を提供する。【解決手段】電子部品と、前記電子部品を駆動するための制御信号を出力する回路基板１０２の一端が挿入される第１挿入口９３と、前記第１挿入口に挿入される前記回路基板の一端が着脱自在に接続される端子９４０と、前記回路基板を前記端子に対して着脱させる操作部９２と、を有し、前記制御信号を前記電子部品に供給するコネクタ９００と、前記電子部品が載置されると共に、前記第１挿入口に前記回路基板の一端が挿入される挿入方向を載置面に平行とするように前記コネクタが載置されるハウジングと、前記操作部を操作するための操作孔８４が前記操作部を操作可能な位置に設けられ、前記ハウジングを覆うカバー８と、を備え、前記ハウジングと前記カバーとの間には、前記回路基板の一端を前記第１挿入口に挿入するための第２挿入口１０３が形成される。【選択図】図１２
2014099231.tif 000002
【特許請求の範囲】
【請求項１】
電子部品と、
前記電子部品を駆動するための制御信号を出力する回路基板の一端が挿入される第１挿入口と、前記第１挿入口に挿入される前記回路基板の一端が着脱自在に接続される端子と、前記回路基板を前記端子に対して着脱させる操作部と、を有し、前記制御信号を前記電子部品に供給するコネクタと、
前記電子部品が載置されると共に、前記第１挿入口に前記回路基板の一端が挿入される挿入方向を載置面に平行とするように前記コネクタが載置されるハウジングと、
前記操作部を操作するための操作孔が前記操作部を操作可能な位置に設けられ、前記ハウジングを覆うカバーと、を備え、
前記ハウジングと前記カバーとの間には、前記回路基板の一端を前記第１挿入口に挿入するための第２挿入口が形成される
ことを特徴とする光ピックアップ装置。
【請求項２】
前記操作孔は、前記操作部と対向する位置に設けられる
ことを特徴とする請求項１に記載の光ピックアップ装置。
【請求項３】
前記コネクタは、前記端子が隣り合って複数配置される方向に沿って延在する長尺形状を呈し、
前記操作孔は、前記コネクタの長尺方向に沿って延在する長孔である
ことを特徴とする請求項２に記載の光ピックアップ装置。
【請求項４】
前記操作部は、前記回路基板の前記端子に対する着脱が行われるときに前記操作孔の周囲の一部に当接する第１位置に移動し、前記回路基板の前記端子に対する着脱が行われないときに前記操作孔から離れた第２位置に移動し、
前記操作孔は、前記操作部を前記第１位置から前記第２位置へ移動させるための切り欠きを前記周囲の一部に有する
ことを特徴とする請求項３に記載の光ピックアップ装置。
【請求項５】
前記切り欠きは、前記操作部を前記第１位置から前記第２位置へ移動させる操作具が挿入される形状を呈する
ことを特徴とする請求項４に記載の光ピックアップ装置。
【請求項６】
前記カバーは、接地されている金属製のカバーである
ことを特徴とする請求項１乃至５の何れかに記載の光ピックアップ装置。
【発明の詳細な説明】
【技術分野】
【０００１】
本発明は、光ピックアップ装置に関する。
【背景技術】
【０００２】
例えば、回路基板を端子に対して着脱させる操作部を有するコネクタが知られている（例えば特許文献１）。
【先行技術文献】
【特許文献】
【０００３】
【特許文献１】特開２０１１―６０４３３号公報
【発明の概要】
【発明が解決しようとする課題】
【０００４】
上記コネクタは、特許文献１のコネクタも含め、例えば、回路基板から出力される制御信号に基づいて光ピックアップ装置の電子部品を駆動させるために、当該光ピックアップ装置に設けられる。このコネクタは、操作部の操作が容易となるように、光ピックアップ装置のカバーに覆われない位置に設けられることがある。この場合、回路基板から制御信号が出力されているときに、例えば指先等で操作部の操作が行われて、回路基板がコネクタの端子から外れることにより、光ピックアップ装置の誤動作が引き起こされる虞がある。
【課題を解決するための手段】
【０００５】
前述した課題を解決する主たる本発明は、電子部品と、前記電子部品を駆動するための制御信号を出力する回路基板の一端が挿入される第１挿入口と、前記第１挿入口に挿入される前記回路基板の一端が着脱自在に接続される端子と、前記回路基板を前記端子に対して着脱させる操作部と、を有し、前記制御信号を前記電子部品に供給するコネクタと、前記電子部品が載置されると共に、前記第１挿入口に前記回路基板の一端が挿入される挿入方向を載置面に平行とするように前記コネクタが載置されるハウジングと、前記操作部を操作するための操作孔が前記操作部を操作可能な位置に設けられ、前記ハウジングを覆うカバーと、を備え、前記ハウジングと前記カバーとの間には、前記回路基板の一端を前記第１挿入口に挿入するための第２挿入口が形成されることを特徴とする光ピックアップ装置である。
【０００６】
本発明の他の特徴については、添付図面及び本明細書の記載により明らかとなる。
【発明の効果】
【０００７】
本発明によれば、良好に動作する光ピックアップ装置を提供することができる。
【図面の簡単な説明】
【０００８】
【図１】本発明の実施形態に係る光ピックアップ装置の光学系の構成を示す図である。
【図２】本発明の実施形態に係る光ピックアップ装置の光学系の一部の構成を示す図である。
【図３】本発明の実施形態に係る光ピックアップ装置を示す斜視図である。
【図４】本発明の実施形態に係る光ピックアップ装置を示す分解斜視図である。
【図５】本発明の実施形態におけるハウジングを示す斜視図である。
【図６】本発明の実施形態におけるリジッド基板を示す斜視図である。
【図７】本発明の実施形態におけるＦＰＣを示す斜視図である。
【図８】本発明の実施形態における固定板を示す斜視図である。
【図９】本発明の実施形態におけるカバーを示す平面図である。
【図１０】本発明の実施形態における光ピックアップ装置の一部を示す平面図である。
【図１１】本発明の実施形態におけるコネクタを示す平面図である。
【図１２】本発明の実施形態におけるフレキシブルケーブルが取り付けられた状態のコネクタを示す断面図である。
【図１３】本発明の実施形態におけるフレキシブルケーブルが取り外された状態のコネクタを示す断面図である。
【図１４】本発明の実施形態におけるＦＰＣが接続された状態のリジッド基板を示す斜視図である。
【図１５】本発明の実施形態におけるカバーが取り外された状態の光ピックアップ装置を示す斜視図である。
【図１６】本発明の実施形態における操作治具と光ピックアップ装置とを示す斜視図である。
【発明を実施するための形態】
【０００９】
本明細書および添付図面の記載により、少なくとも以下の事項が明らかとなる。
【００１０】
＝＝＝光ピックアップ装置の光学系＝＝＝
以下、図１、図２を参照して、本実施形態における光ピックアップ装置の光学系について説明する。図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、ＤＶＤ（Ｄｉｇｉｔａｌ  Ｖｅｒｓａｔｉｌｅ  Ｄｉｓｃ）規格の光ディスク（以下、「第１光ディスク５Ａ」と称する）、ＣＤ（Ｃｏｍｐａｃｔ  Ｄｉｓｃ）規格の光ディスク（以下、「第２光ディスク５Ｂ」と称する）等である。光ピックアップ装置１００は、第１光ディスク５Ａ、第２光ディスク５Ｂに照射されるレーザ光の光路に沿った光学系を有する。
【００１２】
光ピックアップ装置１００の光学系は、ＤＶＤ規格及びＣＤ規格用の光学系であり、レーザ光源１１、回折格子１２、光検出器１３（電子部品）、非点収差発生板１４、ビームスプリッタ１５、１／４波長板１６、コリメートレンズ１７、立ち上げミラー１８、フロントモニタダイオード１９（電子部品）、対物レンズ３１（図２）（以下、「光ピックアップ装置１００の光学部品」とも称する）から構成される。つまり、光ピックアップ装置１００は、レーザ光源１１（以下、「レーザダイオード」とも称する）から出射されたレーザ光の強度を検出するフロントモニタダイオード１９（以下、「フロントモニタ検出器」とも称する）や光ディスク５の信号記録面により反射されたレーザ光を受光して種々のディスク情報を検出する光検出器１３などの光電子部品（オプトデバイス）を有している。
【００１３】
レーザ光源１１は、第１光ディスク５Ａに照射する赤色波長帯（６４５ｎｍ〜６７５ｎｍ）のうち例えば６５５ｎｍの波長と、第２光ディスク５Ｂに照射する赤外波長帯（７６５ｎｍ〜８０５ｎｍ）のうち例えば７８５ｎｍの波長の、異なる２波長のレーザ光を選択的に出射する。レーザ光源１１は、例えば６５５ｎｍの波長のレーザ光を出射する第１レーザダイオード１１１と、例えば７８５ｎｍの波長のレーザ光を出射する第２レーザダイオード１１２とを有する。
【００１４】
回折格子１２は、レーザ光源１１が出射したレーザ光から、０次光、＋１次回折光、−１次回折光を生成する。また、回折格子１２は、偏光方向を９０度変換する１／２波長板機能も有する複合光学部品となっている。
【００１５】
ビームスプリッタ１５は、例えば、Ｓ偏光のレーザ光を反射し、Ｐ偏光のレーザ光を透過する平板型のビームスプリッタである。ビームスプリッタ１５は、回折格子１２から入射するＳ偏光のレーザ光を１／４波長板１６の方向へ反射する。このとき、ビームスプリッタ１５は、レーザ光の強度を調整するために、レーザ光の一部をフロントモニタダイオード１９の方向に透過するものとする。つまり、ビームスプリッタ１５を透過したレーザ光がフロントモニタダイオード１９に照射されることとなる。尚、フロントモニタダイオード１９は、ビームスプリッタ１５から入射された一部のレーザ光の強度に基づいて、レーザ光源１１から出射されるレーザ光の強度を所定量に調整するための受光出力を発生する光電子部品である。又、１／４波長板１６から入射するレーザ光の反射光は、例えば、第１光ディスク５Ａ又は第２光ディスク５Ｂで反射してＰ偏光のレーザ光となっている。よって、ビームスプリッタ１５は、レーザ光の反射光を非点収差発生板１４の方向へ透過する。
【００１６】
１／４波長板１６は、ビームスプリッタ１５から入射するレーザ光を、直線偏光光から円偏光光に変換する。又、１／４波長板１６は、コリメートレンズ１７から入射するレーザ光の反射光を、円偏光光から直線偏光光に変換する。
【００１７】
コリメートレンズ１７は、１／４波長板１６から入射する赤色波長帯のレーザ光を平行光に変換し、赤外波長帯のレーザ光を弱発散光に変換する。
【００１８】
立ち上げミラー１８は、コリメートレンズ１７から入射するレーザ光を、第１光ディスク５Ａ又は第２光ディスク５Ｂの信号記録面に垂直な方向に反射する。又、立ち上げミラー１８は、対物レンズ３１から入射するレーザ光の反射光を、コリメートレンズ１７の方向に反射する。
【００１９】
対物レンズ３１は、立ち上げミラー１８から入射したレーザ光を、第１光ディスク５Ａ又は第２光ディスク５Ｂの信号記録面における信号記録層に集光する。
【００２０】
第１光ディスク５Ａ又は第２光ディスク５Ｂの信号記録層で反射したレーザ光の反射光は、対物レンズ３１に戻り、立ち上げミラー１８、コリメートレンズ１７を介して１／４波長板１６に入射し、１／４波長板１６によって円偏光光から直線偏光光に変換される。直線偏光光となったレーザ光の反射光は、ビームスプリッタ１５を介して非点収差発生板１４に入射する。
【００２１】
非点収差発生板１４は、ビームスプリッタ１５から入射されるレーザ光の反射光にフォーカス制御に用いられる非点収差を発生させる。
【００２２】
光検出器１３には、非点収差発生板１４から入射されるレーザ光の反射光が照射される。光検出器１３は、当該照射されたレーザ光の反射光に基づいて光電変換して、光ディスクの情報データ信号及びフォーカスエラー信号とトラッキングエラー信号が生成される受光出力を発生する。尚、フォーカスエラー信号とは、例えば、レンズホルダ３００（図４）を対物レンズ３１の光軸方向（図４のＺ軸）に変位させる際に用いられる信号である。トラッキングエラー信号とは、例えば、レンズホルダ３００をトラッキング方向（図４のＹ軸）に変位させる際に用いられる信号である。
【００２３】
＝＝＝光ピックアップ装置＝＝＝
以下、図３及び図４を参照して、本実施形態に係る光ピックアップ装置について説明する。図３は、本実施形態に係る光ピックアップ装置を示す斜視図である。尚、光ディスク５を回転させるためのスピンドルモータ（不図示）の回転軸５０は、説明の便宜上、一点鎖線で示されている。光ディスク５は、一部が省略された状態で、点線で示されている。尚、図３では、フレキシブルケーブル１０２が取り付けられた状態の光ピックアップ装置１００が示されている。図４は、本実施形態に係る光ピックアップ装置を示す分解斜視図である。
【００２４】
本実施形態において、Ｚ軸は、光ディスク５を回転させるスピンドルモータの回転軸５０の長手方向（フォーカス方向、垂直方向）に沿う軸であり、光ピックアップ装置１００から光ディスク５（上側）へ向かう方向を＋Ｚ方向とし、光ディスク５から光ピックアップ装置１００（下側）へ向かう方向を−Ｚ方向とする。尚、第１光ディスク５Ａ、第２光ディスク５Ｂのうち、スピンドルモータによって回転される光ディスクを、説明の便宜上、光ディスク５と称する。Ｙ軸は、光ディスク５の径方向（トラッキング方向、ラジアル方向）に光ピックアップ装置１００が移動する方向に沿う軸であり、光ピックアップ装置１００が回転軸５０から離れる方向を−Ｙ方向とし、光ピックアップ装置１００が回転軸５０に近づく方向を＋Ｙ方向とする。Ｘ軸は、光ディスク５のタンジェンシャル方向に沿う軸であり、一方の側壁２１から他方の側壁２２に向かう方向を＋Ｘ方向とし、他方の側壁２２から一方の側壁２１に向かう方向を−Ｘ方向とする。
【００２５】
光ピックアップ装置１００（図４）は、ハウジング２、光ピックアップ装置１００の光学部品、アクチュエータ３、第１放熱板４１、第２放熱板４２、リジッド基板６、フレキシブルプリント基板（Ｆｌｅｘｉｂｌｅ  Ｐｒｉｎｔｅｄ  ｃｉｒｃｕｉｔ:ＦＰＣ）７、ＦＰＣ８００、固定板５００、カバー８を有する。
【００２６】
ハウジング２には、光ピックアップ装置１００の光学部品、第１放熱板４１、第２放熱板４２、リジッド基板６、ＦＰＣ７、固定板５００、ＦＰＣ８００、アクチュエータ３、カバー８が載置される。アクチュエータ３は、レンズホルダ３００を光ディスク５のフォーカス方向又はトラッキング方向に変位させる装置である。リジッド基板６、ＦＰＣ７、ＦＰＣ８００は、光ピックアップ装置１００を制御するための回路及び配線を形成する基板である。固定板５００は、ＦＰＣ７が撓むのを防止するための板部材である。第１放熱板４１は、レーザ光源１１で発生する熱を放散するための金属製の板である。第２放熱板４２は、レーザ光源１１の発光を制御するためのドライバＩＣ（不図示）で発生する熱を放散するための金属製の板である。カバー８は、ハウジング２を覆う金属製の蓋である。
【００２７】
＝＝＝ハウジング＝＝＝
以下、図４及び図５を参照して、本実施形態におけるハウジングについて説明する。図５は、本実施形態におけるハウジングを示す斜視図である。尚、光ディスク５を回転させるためのスピンドルモータの回転軸５０は、説明の便宜上、一点鎖線で示されている。
【００２８】
ハウジング２は、光ピックアップ装置１００の光学部品、第１放熱板４１、第２放熱板４２、リジッド基板６、ＦＰＣ７、固定板５００、ＦＰＣ８００、アクチュエータ３、カバー８が載置される例えば樹脂製のハウジングである。
【００２９】
ハウジング２は、タンジェンシャル方向（Ｘ軸）に延びた形状を呈する。トラッキング方向（Ｙ軸）における回転軸５０に近い側（＋Ｙ）の端部２３は、例えば、スピンドルモータ（不図示）を回避するように所定の曲率をもって抉られた形状を呈する。トラッキング方向において回転軸５０から遠い側（−Ｙ）の端部２４における、タンジェンシャル方向の幅は、例えば、光ピックアップ装置１００を制御する制御装置（不図示）の筺体の形状に沿う様に、回転軸５０から離れるにつれて短くなっている。更に、端部２４は、フォーカス方向（Ｚ軸）における厚さが、フォーカス方向における一方の側壁２１の厚さ、及び、フォーカス方向における他方の側壁２２の厚さよりも薄くなるように、形成されている。従って、ハウジング２に対してカバー８（図９）が取り付けられたときに、ハウジング２上のリジッド基板６（図１２）とカバー８との間に挿入口１０３が形成されることとなる。つまり、このとき、ハウジング２とカバー８との間に挿入口１０３が形成されることとなる。尚、挿入口１０３は、フレキシブルケーブル１０２の一端を挿入口９３に挿入するための開口である。尚、リジッド基板６、カバー８については、後述する。
【００３０】
ハウジング２は、部品設置孔２５、２６、突起２１１、２１２、２１７、爪２１３、２１４、２１５、係合部２１６、雌螺子２７、窪み２８を有する。
【００３１】
部品設置孔２５は、光検出器１３を設置するための貫通孔である。部品設置孔２５は、トラッキング方向に沿って延在した長孔である。部品設置孔２５は、他方の側壁２２側に設けられる。
【００３２】
部品設置孔２６は、フロントモニタダイオード１９を設置するための貫通孔である。部品設置孔２６は、部品設置孔２５と隣り合う位置に設けられる。部品設置孔２６は、タンジェンシャル方向に沿って延在した長孔である。部品設置孔２６は、部品設置孔２５よりも回転軸５０に近い側、且つ、部品設置孔２５よりも一方の側壁２１に近い側（−Ｘ）に設けられる。
【００３３】
突起２１１、２１２は、ハウジング２に対するＦＰＣ７及び固定板５００の位置決め及び固定を行うために、ハウジング２の載置面に設けられる一対の突起である。
【００３４】
窪み２８は、ハウジング２に対する、第１放熱板４１、第２放熱板４２及びリジッド基板６の位置決め及び固定を行うための窪みである。窪み２８は、タンジェンシャル方向に沿って延在している。窪み２８は、トラッキング方向における端部２４側（−Ｙ）に設けられる。従って、フォーカス方向（Ｚ軸）における端部２４の厚みは、窪み２８の側壁として機能している壁体２８３、２８４のフォーカス方向における厚みよりも薄くなっている。
【００３５】
爪２１３、２１４は、ハウジング２に対するリジッド基板６の固定のために、ハウジング２に設けられる。爪２１３、２１４は夫々、壁体２８３、２８４に設けられる。爪２１３は、リジッド基板６（図６）の螺子孔６１Ａ側（−Ｘ）の端部６１と対向する位置に設けられる。爪２１４は、リジッド基板６の螺子孔６１Ａ側とは反対側（＋Ｘ）の端部６２と対向する位置に設けられる。
【００３６】
爪２１５は、ハウジング２に対する第１放熱板４１の位置決め及び固定のために、ハウジング２の端部２４に設けられる。爪２１５は、第１放熱板４１の係合孔４１Ａと対向する位置に設けられる。
【００３７】
係合部２１６は、ハウジング２に対するカバー８の固定のために、カバー８の係合片８３Ｂと対向する位置に設けられる。係合部２１６は、係合片８３Ｂと係合する形状を呈するカバー２の一部である。
【００３８】
雌螺子２７は、ハウジング２に対するカバー８等の固定のために、固定螺子１０１と螺合する。雌螺子２７は、第２放熱板４２の螺子孔４２Ａ、リジッド基板６の螺子孔６１Ａ、カバー８の螺子孔８３Ａと対向する位置に設けられる。
【００３９】
突起２１７は、ハウジング２に対するカバー８の位置決めを行うための突起である。突起２１７は、例えばトラッキング方向における雌螺子２７とは反対側に設けられる。
【００４０】
＝＝＝第１放熱板、第２放熱板＝＝＝
以下、図４を参照して、本実施形態における第１放熱板、第２放熱板について説明する。
【００４１】
第１放熱板４１は、レーザ光源１１で発生する熱を放散するための金属板である。第１放熱板４１は、レーザ光源１１の一部と接触するように例えばタンジェンシャル方向（Ｘ軸）に沿って延在している。第１放熱板４１の手前側（−Ｙ）の端部は、ハウジング２に対して第１放熱板４１が固定されるように、ハウジング２の手前側の縁に沿って下側（−Ｚ）に向かって曲げられた形状を呈する。第１放熱板４１の手前側の端部には、爪２１５を第１放熱板４１に引っ掛けるための係合孔４１Ａが設けられている。
【００４２】
第２放熱板４２は、レーザ光源１１の発光を制御するためのドライバＩＣ（不図示）で発生する熱を放散するための金属板である。尚、ドライバＩＣは、例えばリジッド基板６（図６）の下側の面（−Ｚ）に設けられる。第２放熱板４２は、ドライバＩＣのパッケージと接触するように例えばタンジェンシャル方向に沿って延在している。第２放熱板４２の一方側の端部（−Ｘ）には、固定螺子１０１が挿通される螺子孔４２Ａが設けられている。
【００４３】
＝＝＝リジッド基板＝＝＝
以下、図６を参照して、本実施形態におけるリジッド基板について説明する。図６は、本実施形態におけるリジッド基板を示す斜視図である。
【００４４】
リジッド基板６は、光ピックアップ装置１００を制御するための、例えばリジッドなプリント基板である。リジッド基板６は、ハウジング２に載置されたときにハウジング２の載置面に対して略平行になるように、タンジェンシャル方向（Ｘ軸）において延びた形状を呈する。タンジェンシャル方向におけるリジッド基板６の幅は、リジッド基板６がハウジング２の端部２４に載置されるように、トラッキング方向（Ｙ軸）における回転軸５０（図３）から離れるにつれて短くなっている。
【００４５】
リジッド基板６は、コネクタ９００、螺子孔６１Ａ、端子６３Ａ乃至６３Ｃ、端子６３Ｇを有する。
【００４６】
螺子孔６１Ａは、ハウジング２に対するリジッド基板６の固定のための貫通孔である。螺子孔６１Ａには、固定螺子１０１が挿通される。螺子孔６１Ａは、ハウジング２の雌螺子２７と対向する位置に設けられる。螺子孔６１Ａは、タンジェンシャル方向における一方側の端（−Ｘ）に設けられる。
【００４７】
コネクタ９００は、光ピックアップ装置１００を制御する制御回路（不図示）と、光ピックアップ装置１００とを電気的に接続するのに用いられる。尚、光ピックアップ装置１００を制御する制御回路とは、例えば、光検出器１３（図４）及びフロントモニタダイオード１９からの電気信号を受信したり、当該電気信号に基づいてアクチュエータ３の動作を制御したり、ドライバＩＣを制御したりするための、光ピックアップ装置１００の外部に設けられている電気回路であることとする。又、この制御回路は、光検出器１３を駆動するための制御信号を出力したり、フロントモニタダイオード１９を駆動するための制御信号を出力したりする。尚、光ピックアップ装置１００の制御回路、及び、当該制御回路に他端が接続されているフレキシブルケーブル１０２が、回路基板に相当する。尚、コネクタ９００については、後述する。
【００４８】
端子６３Ａ乃至６３Ｃは、リジッド基板６の配線（不図示）を介してコネクタ９００の端子９４０（図１２）に電気的に接続されている。尚、端子９４０については、後述する。リジッド基板６の配線とは、リジッド基板６に設けられている例えば配線パターンである。リジッド基板６の配線の一端は、例えば端子６３Ａ乃至６３Ｃとしてリジッド基板６の上面（＋Ｚ）に導出されており、リジッド基板６の配線の他端は、例えばリジッド基板６の上面におけるコネクタ９００が設けられている位置に端子（以下、「リジッド基板６の配線における他端側の端子」とも称する）として導出されていることとする。
【００４９】
端子６３Ａ乃至６３Ｃは、タンジェンシャル方向における螺子孔６１Ａとは反対側の一部（＋Ｘ）に設けられる。端子６３Ａ乃至６３Ｃは、リジッド基板６におけるＦＰＣ７の取付片７６（図７）が固定される領域を取り囲む位置に設けられる。端子６３Ａは、例えばコネクタ９００の近傍においてタンジェンシャル方向に沿って複数設けられる。端子６３Ｂは、例えば端子６３Ａよりも端部６２に近い側（＋Ｘ）においてトラッキング方向に沿って複数設けられる。端子６３Ｃは、例えば端子６３Ａ、及び端子６３Ｂよりもコネクタ９００から遠い側（＋Ｙ）においてタンジェンシャル方向に沿って複数設けられる。
【００５０】
端子６３Ｇは、リジッド基板６の接地配線（不図示）を介してカバー８（図９）を接地するための端子である。リジッド基板６の接地配線の一端は、例えば端子６３Ｇとしてリジッド基板６の上面における螺子孔６１Ａの近傍に導出されており、リジッド基板６の接地配線の他端は、例えばリジッド基板６の上面におけるコネクタ９００が設けられている位置に端子（以下、「リジッド基板６の接地配線における他端側の端子」とも称する）として導出されていることとする。尚、例えば、リジッド基板６には、比較的広い面積の接地パターンが形成されており、当該接地パターンは、端子６３Ｇを介してカバー８と電気的に接続されていることとしてもよい。
【００５１】
＝＝＝ＦＰＣ＝＝＝
以下、図７を参照して、本実施形態におけるＦＰＣについて説明する。図７は、本実施形態におけるＦＰＣを示す斜視図である。尚、フロントモニタダイオード１９は見えない状態となっているが、説明の便宜上、点線で示されている。
【００５２】
ＦＰＣ７は、光ピックアップ装置１００を制御するための可撓性基板であり、リジッド基板６に接続される。ＦＰＣ７は、一体的に形成されている。ＦＰＣ７には、光検出器１３、調整板５１、フロントモニタダイオード１９が固定される。ＦＰＣ７は、載置片７１、挿入片７２、７３、連結片７４、７５、取付片７６、折り返し片７１６を有する。
【００５３】
載置片７１は、ハウジング２の上部（＋Ｚ）に載置されるＦＰＣ７の一部である。載置片７１は、トラッキング方向に沿って延在した平板形状を呈する。載置片７１は、ハウジング２の側壁２２側に設けられる。載置片７１は、タンジェンシャル方向（Ｘ軸）において部品設置孔２５と隣り合い、且つ、トラッキング方向（Ｙ軸）において部品設置孔２６と隣り合う位置に設けられる。
【００５４】
載置片７１は、トラッキング方向において部品設置孔２５（図５）の一方側（−Ｘ）の縁に沿って延在する第１縁７１３、及び、タンジェンシャル方向において部品設置孔２６の回転軸５０（図５）から遠い側（−Ｙ）の縁に沿って延在する第２縁７１４を有する。尚、第１縁７１３は、部品設置孔２５の近傍で部品設置孔２５の周囲に沿って、トラッキング方向に沿って直線状に延びるように形成されていることとなる。又、第２縁７１４は、部品設置孔２６の近傍で部品設置孔２６の周囲に沿って、タンジェンシャル方向から少し傾いた方向に沿って直線状に延びるように形成されていることとなる。更に、載置片７１は、ハウジング２に対してＦＰＣ７を位置決め及び固定するための圧入孔７１１、７１２を有する。圧入孔７１１、７１２は夫々、ハウジング２の突起２１１、２１２と対向する位置に設けられる。
【００５５】
挿入片７２は、光検出器１３及び調整板５１が固定（接続）され、当該光検出器１３及び調整板５１とともに部品設置孔２５の内部に挿入されるＦＰＣ７の一部である。挿入片７２は、連結片７４、７５を介して載置片７１の第１縁７１３から連続している。挿入片７２は、例えば、トラッキング方向において延在している２辺と、フォーカス方向（Ｚ軸）において延在している２辺とを有する略矩形形状を呈する。挿入片７２の載置片７１側の面（−Ｘ）には、光検出器１３の基板部５２を介して光検出器１３が例えば半田等を用いて固定される。挿入片７２の光検出器１３が固定されている面とは反対側の面（＋Ｘ）には、光検出器１３の位置調整及び放熱を行うための例えばアルミニウム製の調整板５１が固定されている。つまり、調整板５１は、光検出器１３と結合されている。尚、光検出器１３の位置調整については、後述する。
【００５６】
連結片７４、７５は、載置片７１と挿入片７２とを連結するためのＦＰＣ７の一部である。連結片７４、７５は、挿入片７２とともに部品設置孔２５に挿入される一対の片である。連結片７４、７５は、部品設置孔２５内において光検出器１３の位置調整が行われるように、撓んでいる。つまり、連結片７４、７５は、光検出器１３を位置決めするための調整が行われるように、部品設置孔２５の内部において撓んだ形状を呈している。この連結片７４、７５の撓みにより、載置片７１がハウジング２に固定されている状態で、挿入片７２を部品設置孔２５の内部で移動させることが可能となる。連結片７４、７５は、挿入片７２の上側（＋Ｚ）の辺と載置片７１の第１縁７１３とを連結している。連結片７４、７５は、トラッキング方向において開口７１Ａを介して隣り合う位置に設けられる。連結片７４は、例えばトラッキング方向において挿入片７３から遠い側（−Ｙ）に設けられる。連結片７５は、例えばトラッキング方向における挿入片７３に近い側（＋Ｙ）に設けられる。従って、連結片７４、連結片７５、第１縁７１３、挿入片７２の上側の辺で取り囲まれる開口７１Ａが形成される。そして、この開口７１Ａによって、光検出器１３の受光面１３Ａに照射されるレーザ光の光路が形成されることとなる。
【００５７】
挿入片７３は、フロントモニタダイオード１９が固定（接続）され、当該フロントモニタダイオード１９とともに部品設置孔２６の内部に挿入されるＦＰＣ７の一部である。挿入片７３は、載置片７１の第２縁７１４の一部から連続して下側（−Ｚ）に向かって曲げられている。挿入片７３は、例えば、タンジェンシャル方向において延在している２辺と、フォーカス方向に沿って延在している２辺とを有する略矩形形状を呈する。挿入片７３の載置片７１側の面（−Ｙ）には、フロントモニタダイオード１９が例えば半田等を用いてに固定されている。
【００５８】
折り返し片７１６は、取付片７６がリジッド基板６（図１５）と対向するように折り返されているＦＰＣ７の一部である。折り返し片７１６は、載置片７１における挿入片７３から遠い側（−Ｙ）から連続している。折り返し片７１６は、タンジェンシャル方向において挿入片７２から離れる側（−Ｘ）に延在した後、折り返されている。折り返し片７１６は、取付片７６がフォーカス方向（Ｚ軸）における折り返し片７１６の下側（−Ｚ）で当該折り返し片７１６と対向するように、トラッキング方向に沿った軸を中心に折り返さている。つまり、折り返し片７１６は、ハウジング２の載置面から部品設置孔２５の方向（＋Ｘ）に折り返されている。
【００５９】
取付片７６は、リジッド基板６に対してＦＰＣ７を接続するためのＦＰＣ７の一部である。取付片７６は、トラッキング方向における挿入片７３とは反対側（−Ｙ）に設けられる。取付片７６は、折り返し片７１６から連続してタンジェンシャル方向における挿入片７２側（＋Ｘ）に向かって延在している。取付片７６は、リジッド基板６に対して固定されるときにリジッド基板６の端子６３Ａ乃至６３Ｂに取り囲まれるような形状を呈する。取付片７６は、端子７６Ａを有する。
【００６０】
端子７６Ａは、ＦＰＣ７の配線（不図示）を介して例えばフロントモニタダイオード１９又は光検出器１３、あるいはその両方に電気的に接続されている。ＦＰＣ７の配線とは、ＦＰＣ７に設けられている配線である。ＦＰＣ７の配線の一端は、例えば端子７６Ａとして取付片７６の上面に導出されており、ＦＰＣ７の配線の他端は、例えばフロントモニタダイオード１９又は光検出器１３、あるいはその両方に電気的に接続されている。
【００６１】
端子７６Ａは、リジッド基板６に対してＦＰＣ７が接続されるときに端子６３Ａと隣接するように、取付片７６の上面（＋Ｚ）における挿入片７３から遠い側（−Ｙ）の端に、タンジェンシャル方向に沿って複数設けられる。尚、取付片７６の上面における、リジッド基板６の端子６３Ｂ、６３Ｃと隣接する位置にも、端子（不図示）が設けられている。尚、取付片７６における、端子６３Ｂと隣接する位置に設けられている端子を、端子７６Ｂと称することとする。取付片７６における、端子６３Ｃと隣接する位置に設けられている端子を、端子７６Ｃと称することとする。そして、前述のＦＰＣ７の配線の一端は、例えば端子７６Ｂ、７６Ｃとして導出されていることとする。従って、端子７６Ｂ及び７６Ｃも、端子７６Ａと同様に、ＦＰＣ７の配線を介して例えばフロントモニタダイオード１９又は光検出器１３に電気的に接続されていることとなる。
【００６２】
取付片７６の端子７６Ａ及びリジッド基板６の端子６３Ａは、例えば、半田６４Ａ（図１４）によって相互に接続される。取付片７６の端子７６Ｂ及びリジッド基板６の端子６３Ｂは、例えば、半田６４Ｂによって相互に接続される。尚、取付片７６の端子７６Ｃ及びリジッド基板６の端子６３Ｃも、例えば、半田（不図示）によって相互に接続されることとする。尚、端子７６Ｃと端子６３Ｃとを接続するための半田を、半田６４Ｃと称することとする。そして、ＦＰＣ７及びリジッド基板６は、相互に電気的に接続されることとなる。更に、上記の半田６４Ａ乃至６４Ｃによって、ＦＰＣ７がリジッド基板６に対して固定されることとなる。
【００６３】
＝＝＝固定板＝＝＝
以下、図８を参照して、本実施形態における固定板について説明する。図８は、本実施形態における固定板を示す斜視図である。
【００６４】
固定板５００は、ＦＰＣ７が撓むのを防止するための、載置片７１に固定される樹脂製、例えば０．３ｍｍ厚のポリイミド製の板部材である。固定板５００は、ＦＰＣ７が撓むのを防止できるような硬度を有していることとする。つまり、固定板５００は、ＦＰＣ７が撓むのを防止できるように、ＦＰＣ７よりも硬い板部材であることとする。固定板５００は、トラッキング方向（Ｙ軸）に沿って延在している。固定板５００は、載置片７１の第１縁７１３に沿って延在する第１縁５１３、及び、載置片７１の第２縁７１４に沿って延在する第２縁５１４を有する。尚、第１縁５１３は、部品設置孔２５の近傍で部品設置孔２５の周囲に沿って、トラッキング方向に沿って直線状に延びるように形成されていることとなる。又、第２縁５１４は、部品設置孔２６の近傍で部品設置孔２６の周囲に沿って、タンジェンシャル方向から少し傾いた方向に沿って直線状に延びるように形成されていることとなる。そして、固定板５００は、載置片７１を上部（＋Ｚ）から覆うような形状を呈する。固定板５００は、載置片７１の上面（＋Ｚ）に対して例えば接着剤等を用いて固定される。つまり、固定板５００は、ハウジング２の載置面の上部においてＦＰＣ７の載置片７１に固定されることとなる。このとき、固定板５００は、連結片７４、７５の載置片７１から連続している端部（−Ｘ）に隣接する位置に固定されることとなる。更に、固定板５００は、挿入片７３における載置片７１から連続している端部（＋Ｚ）に隣接する位置に固定されることとなる。つまり、固定板５００は、ハウジング２の載置面における部品設置孔２５寄りの位置に配置されることとなる。
【００６５】
尚、ハウジング２の載置面とは、ハウジング２の上側（＋Ｚ）の面における、ＦＰＣ７の載置片７１が載置される一部の領域である。つまり、ハウジング２の載置面は、タンジェンシャル方向（Ｘ軸）において部品設置孔２５と隣り合っており、且つ、トラッキング方向（Ｙ軸）において部品設置孔２６と隣り合っている。尚、ハウジング２は、ハウジング２の載置面が例えばスピンドルモータの回転軸５０（図５）の長手方向に対して直交するように、形成されていることとする。
【００６６】
固定板５００には、圧入孔５１１、５１２が設けられる。圧入孔５１１、５１２は夫々、ハウジング２に対して固定板５００を位置決め及び固定するための、突起２１１、２１２が圧入される孔である。圧入孔５１１、５１２は夫々、載置片７１の圧入孔７１１、７１２と対向する位置に設けられる。つまり、圧入孔５１１、５１２は夫々、ハウジング２の突起２１１、２１２と対向する位置に設けられていることとなる。
【００６７】
以上より、載置片７１に対する固定板５００の固定により載置片７１の硬度が増大し、載置片７１が撓むのが防止されることとなる。更に、固定板５００は載置片７１の上面に固定された状態で、ハウジング２に対して固定されるので、載置片７１は、ハウジング２の載置面と固定板５００との間に挟まれた状態となる。従って、載置片７１が撓むのが更に確実に防止されることとなる。
【００６８】
＝＝＝カバー＝＝＝
以下、図９及び図１０を参照して、本実施形態におけるカバーについて説明する。
【００６９】
図９は、本実施形態におけるカバーを示す平面図である。図１０は、本実施形態における光ピックアップ装置の一部を示す平面図である。尚、図１０では、図３のトラッキング方向（Ｙ軸）における光ピックアップ装置１００の回転軸５０から遠い側（−Ｙ）の一部が示されている。コネクタ９００の一部は、見えない状態となっているが、説明の便宜上、点線で示されている。
【００７０】
カバー８は、ハウジング２を上側（＋Ｚ）から覆う金属製の蓋である。カバー８は、例えば、１枚の金属板を折り曲げ加工して成型される。
【００７１】
ハウジング２に載置されている例えば光検出器１３、フロントモニタダイオード１９等は、例えば静電気等に基づく比較的高い電圧が、コネクタ９００の端子９４０及びＦＰＣ７の配線を介して光検出器１３、フロントモニタダイオード１９に供給された際、誤動作したり、故障したりすることがある。又、光ピックアップ装置１００のＥＳＤ試験（静電気放電耐性試験）の際に、例えばＥＳＤ試験装置（不図示）からの放電に基づいて、コネクタ９００の端子９４０及びＦＰＣ７の配線を介して光検出器１３、フロントモニタダイオード１９に比較的高い電圧が供給された場合も、光検出器１３、フロントモニタダイオード１９の、誤動作又は、故障が引き起こされることがある。従って、例えば光検出器１３の端子、フロントモニタダイオード１９の端子と電気的に接続されている、コネクタ９００の端子９４０が露出しないように覆われていることが必要である。
【００７２】
カバー８は、ハウジング２に載置されているコネクタ９００の端子９４０を上側から覆っている。カバー８は、接地されている。尚、カバー８の接地については、後述する。カバー８は、開口８２、開口８４（操作孔）、係合片８３Ｂ、８３Ｃ、突片８３Ｅ、８３Ｆ、接触片８３Ａを有する。
【００７３】
係合片８３Ｂ、８３Ｃ、突片８３Ｅ、８３Ｆは、ハウジング２に対してカバー８を固定するための部材であり、例えばカバー８の四隅に設けられる。
【００７４】
係合片８３Ｂ（図４）は、ハウジング２の係合部２１６と係合する形状を呈し、係合部２１６と対向する位置に設けられる。係合片８３Ｂは、例えばフォーカス方向における下側（−Ｚ）に向かって突出した後当該フォーカス方向と交差する方向に折れ曲がった略Ｌ字形状を呈する。
【００７５】
係合片８３Ｃ（図４）は、ハウジング２（図５）の端部２３の一部と係合する形状を呈し、当該端部２３の一部と対向する位置に設けられる。尚、ハウジング２における係合片８３Ｃと対向する位置には、係合片８３Ｃと係合する係合部が設けられている。
【００７６】
突片８３Ｅは、ハウジング２における雌螺子２７（図５）と対向するように、例えばタンジェンシャル方向における係合片８３Ｂとは反対側において当該係合片８３Ｂから離れる方向（−Ｘ）に向かって突出している。突片８３Ｅには、ハウジング２の雌螺子２７と対向する位置に螺子孔８３Ａが設けられている。当該螺子孔８３Ａには、固定螺子１０１（図４）が螺合される。
【００７７】
接触片８３Ｇは、カバー８を接地するための片である。接触片８３Ｇは、ハウジング２に固定された状態のリジッド基板６における端子６３Ｇと対向する位置に設けられる。接触片８３Ｇは、端子６３Ｇとの接触が確実に例えば突片８３Ｅの近傍において先端が下側に傾けられていることとする。
【００７８】
突片８３Ｆは、ハウジング２における突起２１７と対向するように、例えばトラッキング方向における突片８３Ｅとは反対側から当該突片８３Ｅとは反対側において当該突片８３Ｅから離れる方向（＋Ｙ）に向かって突出している。突片８３Ｆには、ハウジング２の突起２１７と対向する位置に嵌入孔８３Ｄが設けられている。嵌入孔８３Ｄには、ハウジング２に対するカバー８の位置決めの際に、突起２１７が嵌入される。
【００７９】
開口８２は、対物レンズ３１（図３）を露出させるための孔であり、対物レンズ３１と対向する位置に設けられる。
【００８０】
開口８４は、コネクタ９００の操作片９２（操作部）（図１０）を操作するための操作孔である。開口８４は、コネクタ９００の操作片９２と対向する位置に設けられる。つまり、コネクタ９００における開口８４と対向している一部以外の例えば端子９４０等は、カバー８によって上側から覆われることとなる。尚、開口８４、コネクタ９００については、後述する。
【００８１】
＝＝＝コネクタ＝＝＝
以下、図４、図１１乃至図１３を参照して、本実施形態におけるコネクタについて説明する。
【００８２】
図１１は、本実施形態におけるコネクタを示す平面図である。図１２は、本実施形態におけるフレキシブルケーブルが取り付けられた状態のコネクタを示す断面図である。図１３は、本実施形態におけるフレキシブルケーブルが取り外された状態のコネクタを示す断面図である。尚、図１２及び図１３は、フレキシブルケーブル１０２の一部、操作治具５０５の一部、図１０のＣ１−Ｃ２断面から＋Ｘ方向に見た状態のカバー８、コネクタ９００、リジッド基板６が示されている。
【００８３】
コネクタ９００は、フレキシブルケーブル１０２が着脱されるコネクタである。コネクタ９００は、フレキシブルケーブル１０２の一端が挿入される挿入口９３（第１挿入口）（図１２）とは反対側（＋Ｙ）に設けられた操作片９２を回動することによって、コネクタ９００に対してフレキシブルケーブル１０２のロックを行う、例えばバックロックタイプのコネクタである。尚、コネクタ９００に対するフレキシブルケーブル１０２のロックについては、後述する。コネクタ９００は、光ピックアップ装置１００と光ピックアップ装置１００の制御回路とを電気的に接続するために、リジッド基板６に配置（載置）される。コネクタ９００は、リジッド基板６（図６）の上側（＋Ｚ）の面における、フレキシブルケーブル１０２が取り付けられる側（−Ｙ）の端部６４の近傍に固定される。つまり、コネクタ９００は、コネクタ９００の挿入口９３に対して一端が挿入されるフレキシブルケーブル１０２の（図１２）挿入方向（Ｙ軸）がハウジング２の載置面に平行となるように、リジッド基板６に設けられることとなる。コネクタ９００は、タンジェンシャル方向（Ｘ軸）に沿って延在した長尺形状を呈する。コネクタ９００は、ケース９１、操作片９２、回動片９４、固定片９５を有する。
【００８４】
ケース９１は、回動片９４の一部及び固定片９５一部を収容するための例えば樹脂製のケースである。ケース９１は、例えばタンジェンシャル方向に沿って延在した形状を呈する。ケース９１における操作片９２とは反対側（−Ｙ）には、フレキシブルケーブル１０２の一端が挿入される挿入口９３が設けられている。
【００８５】
回動片９４及び固定片９５は、フレキシブルケーブル１０２の一端が着脱自在に接続される端子９４０を形成する金属片である。回動片９４及び固定片９５は、フレキシブルケーブル１０２の一端に設けられた端子（不図示）と電気的に接続される。回動片９４及び固定片９５からなる端子９４０は、例えばフレキシブルケーブル１０２が着脱される方向（Ｙ軸）と交差する方向（Ｘ軸）に沿って、相互に隣り合ってケース９１内に複数設けられている。つまり、コネクタ９００は、端子９４０が複数隣り合っていう方向（Ｘ軸）に沿って延在した長尺形状を呈していることとなる。尚、フレキシブルケーブル１０２の一端には、コネクタ９００における複数の端子９４０と電気的に接続される端子が複数設けられ、フレキシブルケーブル１０２の他端は、光ピックアップ装置１００を制御するための制御回路と電気的に接続されているものとする。
【００８６】
固定片９５は、フレキシブルケーブル１０２が着脱される方向（Ｙ軸）に沿って延びた形状を呈する。固定片９５における挿入口９３とは反対側（＋Ｙ）の端部９５１は、前述したリジッド基板６の配線における他端側の端子又はリジッド基板６の接地配線における他端側の端子に、例えば半田等を用いて電気的に接続された状態でリジッド基板６の上側の面に固定される。尚、端部９５１は、例えばケース９１から露出しないように、ケース９１内に収容されていることとする。固定片９５における挿入口９３側（−Ｙ）の端部９５２は、Ｂ１方向（図１２）に回動された回動片９４の端部９４２とともにフレキシブルケーブル１０２の一端を把持できるように、一部が上側（＋Ｚ）に向かって突出している。尚、端部９５１は、例えばケース９１から露出しないように、ケース９１内に収容されていることとする。尚、回動片９４の回動については、後述する。
【００８７】
回動片９４は、固定片９５が延在する方向（Ｙ軸）に沿って延びた形状を呈する。回動片９４は、回動片９４が延在する方向（Ｙ軸）と交差するタンジェンシャル方向（Ｘ軸）に沿った軸部材９６を中心に回動可能に固定片９５に連結される。回動片９４は、回動片９４における挿入口９３とは反対側の端部９４１に対して操作片９２から伝達される力に基づいて回動片９４が回動するように、回動片９４の略中央が固定片９５に連結される。回動片９４の端部９４１は、操作片９２がＡ１方向に回動されたときに伝達部９２２と当接するように、ケース９１における挿入口９３とは反対側の縁よりも、操作片９２側（＋Ｙ）に突出していることとする。つまり、端部９４１は、回動片９４が延在する方向においてケース９１から露出している。従って、端子９４０は、ケース９１から露出することとなる（図１１）。回動片９４における挿入口９３側の端部９４２は、回動片９４がＢ１方向に回動された際に、固定片９５の端部９５２とともにフレキシブルケーブル１０２の一端を把持できるように、一部が下側（−Ｚ）に向かって突出している。尚、端部９４１は、例えばケース９１から露出しないように、ケース９１内に収容されていることとする。尚、回動片９４の回動については、後述する。
【００８８】
ここで、軸部材９６は、タンジェンシャル方向に沿った長尺状の回動軸であり、複数の端子９４０における各固定片９５と各回動片９４とを連結している金属製の部材である。従って、各回動片９４は、軸部材９６を介して各固定片９５と電気的に接続された状態で、各固定片９５と連結されることとなる。更に、軸部材９６には、回動片９４を付勢するための例えばスプリング等（不図示）が設けられていることとする。例えば、回動片９４は、回動片９４の端部９４１が下側（−Ｚ）に移動するように、当該スプリングによって付勢されていることとする。
【００８９】
操作片９２は、回動片９４の回動を操作するための例えば樹脂製の操作片である。操作片９２は、端子９４０に対してフレキシブルケーブル１０２が着脱されるときに操作される。操作片９２は、回動軸９２１を中心にＡ１方向（図１２）又はＡ２方向（図１３）に回動可能に、ケース９１に設けられる。操作片９２は、タンジェンシャル方向に沿って延びた長尺形状を呈する。操作片９２は、回動片９４の端部９４１に対して回動片９４をＢ１方向に回動させる力を伝達するための伝達部９２２を有する。伝達部９２２は、例えば、操作片９２がＡ１方向に回動された際に回動片９４の端部９４１と当接し、且つ、操作片９２がＡ２方向に回動された際に回動片９４の端部９４１から離れるように、操作片９２の本体部９２０から回動軸９２１を介して折れ曲がった形状を呈する。
【００９０】
例えば、回動軸９２１を中心に操作片９２がＡ２方向（図１３）に回動された場合、操作片９２の伝達部９２２は、回動片９４の端部９４１から離れる。回動片９４は、軸部材９６に設けられている例えばスプリングからの付勢力に基づいて、Ｂ２方向に回動される。このとき、固定片９５の端部９５２と、回動片９４の端部９４２との間には、フレキシブルケーブル１０２の一端を抜き差しできるような隙間が形成される。従って、回動軸９２１を中心に操作片９２がＡ２方向に回動された場合、コネクタ９００に対してフレキシブルケーブル１０２を着脱できる状態となる。つまり、このとき、コネクタ９００に対するフレキシブルケーブル１０２の着脱が許可されることとなる。
【００９１】
尚、回動軸９２１を中心に操作片９２がＡ２方向に回動されたとき、操作片９２の本体部９２０と開口８４の周囲におけるカバー８の縁８４３とが当接して、当該Ａ２方向への操作片９２の回動が停止されることとなる。縁８４３は、操作片９２のＡ２方向への回動を所定位置で停止させるためのストッパとして機能している。当該ストッパとして機能している縁８４３によって、例えば、本体部９２０がカバー８の下側に入り込んで操作片９２の操作が困難となるのが防がれることとなる。
【００９２】
又、例えば、回動軸９２１を中心に操作片９２がＡ１方向（図１２）に回動された場合、操作片９２の伝達部９２２は、回動片９４の端部９４１に下側（−Ｚ）から当接する。回動片９４の端部９４１は、伝達部９２２から伝達される力に基づいて、下側から上側（＋Ｚ）に押し上げられる。回動片９４は、例えばスプリング等の付勢力に抗して、軸部材９６を中心にＢ１方向に回動される。このとき、固定片９５と回動片９４との間に挿入されたフレキシブルケーブル１０２が、回動片９４の端部９４２と、固定片９５の端部９５２とによって把持されるように、回動片９４の端部９４２と固定片９５の端部９５２との間の隙間は、比較的狭くなる。又、固定片９５と回動片９４との間にフレキシブルケーブル１０２が挿入されていないときに、回動軸９２１を中心に操作片９２がＡ１方向に回動された場合、回動片９４の端部９４２と固定片９５の端部９５２との間の隙間が比較的狭くなっているので、回動片９４、固定片９５との間にフレキシブルケーブル１０２の一端を挿入できない状態となる。従って、回動軸９２１を中心に操作片９２がＡ１方向に回動された場合、コネクタ９００に対してフレキシブルケーブル１０２を着脱できない状態となる。つまり、このとき、コネクタ９００に対するフレキシブルケーブル１０２の着脱が禁止されることとなる。
【００９３】
尚、回動軸９２１を中心に操作片９２がＡ１方向に回動された場合、例えば、操作片９２の本体部９２０とリジッド基板６上のストッパ部材９７とが当接して、当該Ａ１方向への操作片９２の回動が停止されることとしてもよい。
【００９４】
フレキシブルケーブル１０２の端子９４０に対する着脱が行われるときに、操作片９２は、開口８４の周囲の一部である縁８４３に当接する位置に移動される。尚、フレキシブルケーブル１０２の端子９４０に対する着脱が行われるときに移動される操作片９２の位置が、第１位置に相当する。又、フレキシブルケーブル１０２の端子９４０に対する着脱が行われないときに、操作片９２は、開口８４から離れた位置に移動される。一方、フレキシブルケーブル１０２の端子９４０に対する着脱が行われないときに移動される操作片９２の位置が、第２位置に相当する。
【００９５】
＝＝＝コネクタの操作片を操作するための開口＝＝＝
以下、図９、図１０、図１２、図１３を参照して、本実施形態におけるコネクタの操作片を操作するための開口について説明する。
【００９６】
開口８４は、カバー８が取り付けられている状態の光ピックアップ装置１００において、コネクタ９００の操作片９２を操作するための操作孔である。開口８４は、リジッド基板６の厚み方向（Ｚ軸）において端子９４０と対向せず、且つ、操作片９２を操作可能な位置に設けられる。開口８４は、例えば、操作片９２と対向する位置に設けられる。開口８４は、コネクタ９００の挿入口９３と連通している挿入口１０３（第２挿入口）（図１２）側（−Ｙ）に設けられる。尚、挿入口１０３は、フレキシブルケーブル１０２の一端が挿入されるように、光ピックアップ装置１００（図３）における回転軸５０とは反対側（−Ｙ）に設けられている。開口８４は、操作治具５０５によって操作片９２を操作できるように、例えば、操作片９２が延在する長尺方向（Ｘ軸）に沿って延在した長孔形状を呈する。
【００９７】
タンジェンシャル方向（Ｘ軸）における開口８４の長さＤ２（図９）は、操作片９２の操作が可能となるように例えばタンジェンシャル方向における操作片９２の長さよりも長く設定されている。更に、開口８４の長さＤ２は、例えば、操作治具５０５（図１６）を開口８４から光ピックアップ装置１００の内部に挿入できるように、操作治具５０５における開口８４に挿入される一部のタンジェンシャル方向の長さよりも長く設定されている。
【００９８】
トラッキング方向（Ｙ軸）における開口８４の幅Ｄ１は、操作治具５０５によって操作片９２を操作することができると共に、操作片９２の可動領域を確保する長さに設定される。更に、開口８４の幅Ｄ１は、複数の端子９４０の各回動片９４の一端９４１がカバー８で上側から覆われるように、比較的短い長さに設定される。
【００９９】
つまり、コネクタ９００における操作片９２の本体部９２０のみが開口８４から露出し、コネクタ９００における本体部９２０以外の例えば端子９４０等は、カバー８によって上側から覆われることとなる。従って、光ピックアップ装置１００のＥＳＤ試験の際に、例えばＥＳＤ試験装置からの放電に基づいて、コネクタ９００の端子９４０を介して光検出器１３、フロントモニタダイオード１９等に比較的高い電圧が印加されて当該光検出器１３、フロントモニタダイオード１９等が故障するのを防止することができる。例えば、ＥＳＤ試験装置の気中放電に基づく電荷は、端子９４０に供給されずに、金属製のカバー８に供給されることとなる。当該カバー８に供給された電荷は、例えば、リジッド基板６のグランドパターンに供給されることとなる。尚、例えば、カバー８に供給された電荷は、リジッド基板６のグランドパターンを介して光ピックアップ装置１００から放電されることとしてもよい。従って、例えば静電気等に基づく電荷が端子９４０を介して供給されて光検出器１３、フロントモニタダイオード１９等に供給されて、光ピックアップ装置１００の故障が引き起こされるのが防止されることとなる。
【０１００】
開口８４の周囲には、第１切り欠き８４２、第２切り欠き８４４が設けられている。第１切り欠き８４２、第２切り欠き８４４は夫々、開口８４の周囲における互いに対向する縁８４１、縁８４３に形成されている。
【０１０１】
第１切り欠き８４２は、例えば操作治具５０５（操作具）の先端を操作片９２の本体部９２０の下側に配置できるように、縁８４１の一部が切り欠かれて形成されている。ここで、操作治具５０５（図１２）の先端は、例えばＡ１方向に回動されている操作片９２の本体部９２０における回動軸９２１とは反対側（＋Ｙ）の縁（以下、「本体部９２０の縁」とも称する）に引っ掛かるように、略Ｌ字形状となるように曲げられている。例えば、操作治具５０５を用いて操作片９２を操作する場合、当該操作治具５０５の先端を操作片９２の本体部９２０の下側（−Ｚ）まで挿入する必要がある。従って、例えば、Ａ１方向に回動されている操作片９２における本体部９２０の縁から開口８４が設けられているカバー８の縁までのトラッキング方向（Ｙ軸）の距離Ｄ３（図１２）が、操作治具５０５の先端を操作片９２の本体部９２０の下側（−Ｚ）まで挿入できるような長さとされていることが望ましい。開口８４に第１切り欠き８４２が設けられているので、前述の距離Ｄ３が例えば操作治具５０５の厚みよりも長くなり、操作治具５０５の先端を本体部９２０の縁の下側に引っ掛けることが可能となる。つまり、操作治具５０５による操作片９２の操作が可能となる。
【０１０２】
第２切り欠き８４４は、操作片９２をＡ１方向へ移動させるための切り欠きである。つまり、第２切り欠き８４４は、操作片９２を第１位置から第２位置へ移動させるための切り欠きである。第２切り欠き８４４は、例えばＡ２方向（図１３）に回動された操作片９２の本体部９２０とカバー８の縁８４３との間に操作片９２を操作するための隙間８４Ａ（図１３）を形成するための切り欠きである。ここで、前述したように、操作片９２がＡ２方向に回動されて本体部９２０と縁８４３とが当接した場合、例えば、操作片９２をＡ１方向に回動させるために操作治具５０５を本体部９２０の縁に引っ掛けるのが困難となることがある。縁８４３の一部に第２切り欠き８４４が設けられているので、本体部９２０と縁８４３とが当接した際に、隙間８４Ａ（図１３）が形成される。従って、例えば、操作治具５０５の先端の一部を隙間８４Ａ内に挿入して、本体部９２０の縁に操作治具５０５の先端を引っ掛けて、操作片９２を操作することが可能となる。
【０１０３】
尚、第２切り欠き８４４は、コネクタ９００の端子９４０がカバー８から露出しないように、端子９４０と対向しない位置に設けられているものとする。
【０１０４】
＝＝＝光ピックアップ装置の組み立て＝＝＝
以下、図４、図１４、図１５を参照して、本実施形態における光ピックアップ装置の組み立てについて説明する。図１４は、本実施形態におけるＦＰＣが接続された状態のリジッド基板を示す斜視図である。図１５は、本実施形態におけるカバーが取り外された状態の光ピックアップ装置を示す斜視図である。
【０１０５】
ハウジング２（図４）に対して光ピックアップ装置１００の光学部品が載置される。ハウジング２に対して第１放熱板４１及び第２放熱板４２が載置される。このとき、第１放熱板４１は爪２１５と係合してハウジング２に対して固定されることとなる。その後、前述したよう、固定板５００が固定されているＦＰＣ７及びリジッド基板６が、ハウジング２に対して固定される。このとき、ＦＰＣ８００がリジッド基板６に接続される。尚、ＦＰＣ８００は、アクチュエータ３を制御するための基板である。アクチュエータ３がハウジング２に載置される。
【０１０６】
その後、フロントモニタダイオード１９が、部品設置孔２６の内部で位置調整された後、ハウジング２に対して固定される。カバー８がハウジング２に載置される。そして、固定螺子１０１（図４）が、螺子孔８３Ａ、螺子孔６１Ａ、螺子孔４２Ａに挿通されて、雌螺子２７と螺合される。雌螺子２７に対する固定螺子１０１の螺合によって、カバー８、リジッド基板６、第２放熱板４２はハウジング２に対して固定されることとなる。この時、カバー８の接触片８３Ｇ（図９）は、リジッド基板６の端子６３Ｇ（図１４）と接触することとなる。従って、カバー８は、接触片８３Ｇ、端子６３Ｇを介してコネクタ９００の端子９４０における所定の端子と電気的に接続されることとなる。尚、このとき、前述したように、カバー８のフレキシブルケーブル１０２が挿入される側の端部８５（図１２）と、ハウジング２上のリジッド基板６の端部６４との間には、挿入口１０３が形成されることとなる。従って、コネクタ９００の挿入口９３は、挿入口１０３と連通することとなる。つまり、カバー８は、コネクタ９００の挿入口９３がカバー８とハウジング２との間から覗かれるように、コネクタ９００の上側からハウジング２を覆うこととなる。
【０１０７】
ここで、例えば、光ピックアップ装置１００のＥＳＤ試験の際に、ＥＳＤ試験装置の気中放電に基づく電荷は、端子９４０に供給されずに、金属製のカバー８に供給されることとなる。従って、例えば光検出器１３、フロントモニタダイオード１９等に対して、ＥＳＤ試験装置の放電に基づく比較的高い電圧が供給されて、光ピックアップ装置１００の故障が引き起こされるのが防止されることとなる。
【０１０８】
その後、光検出器１３が、部品設置孔２５の内部で位置調整された後、ハウジング２に対して固定される。
【０１０９】
これらにより、光ピックアップ装置１００が組み立てられることとなる。
【０１１０】
＝＝＝フレキシブルケーブルの着脱＝＝＝
以下、図１２、図１３、図１６を参照して、本実施形態におけるコネクタに対するフレキシブルケーブルの着脱について説明する。図１６は、本実施形態における操作治具と光ピックアップ装置とを示す平面図である。
【０１１１】
例えば、コネクタ９００に対してフレキシブルケーブル１０２が取り付けられる場合、コネクタ９００からフレキシブルケーブル１０２が取り外される場合に分けて説明する。
【０１１２】
＜コネクタ９００に対してフレキシブルケーブル１０２が取り付けられる場合＞
操作治具５０５の先端が、開口８４に挿入される。操作治具５０５の先端が、操作片９２の本体部９２０の縁に引っ掛けられて、操作片９２が回動軸９２１を中心にＡ２方向（図１３）に回動される。このとき、前述したように、コネクタ９００の端子９４０に対してフレキシブルケーブル１０２を着脱できる状態となる。フレキシブルケーブル１０２の一端が、カバー８の端部８５及びリジッド基板６の端部６４との間の挿入口１０３、ケース９１の挿入口９３を介して、固定片９５及び回動片９４の間に挿入される。
【０１１３】
その後、例えば、隙間８４Ａ（図１３）に操作治具５０５の先端における一部が挿入される。操作治具５０５の先端の一部が、本体部９２０の縁に引っ掛けられて、操作片９２が回動軸９２１を中心にＡ１方向（図１２）に回動される。このとき、前述したように、フレキシブルケーブル１０２の一端は、回動片９４の端部９４２及び固定片９５の端部９５２によって把持されて、コネクタ９００に取り付けられる（ロックされる）こととなる。
【０１１４】
＜コネクタ９００からフレキシブルケーブル１０２が取り外される場合＞
操作治具５０５の先端が、開口８４に挿入される。操作治具５０５の先端が、操作片９２の本体部９２０の縁に引っ掛けられて、操作片９２が回動軸９２１を中心にＡ２方向（図１３）に回動される。このとき、前述したように、コネクタ９００に対してフレキシブルケーブル１０２を着脱できる（ロックが解除された）状態となる。その後、フレキシブルケーブル１０２の一端が、コネクタ９００から取り外される。
【０１１５】
前述したように、光ピックアップ装置１００は、光検出器１３、フロントモニタダイオード１９、コネクタ９００、ハウジング２、カバー８を有する。コネクタ９００は、フレキシブルケーブル１０２からの制御信号を光検出器１３、フロントモニタダイオード１９に供給する。コネクタ９００は、挿入口９３、端子９４０、操作片９２を有する。挿入口９３には、光ピックアップ装置１００を駆動するための制御信号を出力するフレキシブルケーブル１０２の一端が挿入される。端子９４０は、挿入口９３に挿入されたフレキシブルケーブル１０２の一端が着脱自在に接続される。操作片９２は、フレキシブルケーブル１０２が端子９４０に対して着脱されるときに操作される。ハウジング２は、光検出器１３、フロントモニタダイオード１９、コネクタ９００が載置される。コネクタ９００は、挿入口９３にフレキシブルケーブル１０２の一端が挿入される挿入方向がハウジング２の載置面と平行となるように、ハウジング２に載置される。カバー８は、コネクタ９００上からハウジング２を覆う。カバー８は、操作片９２を操作するための開口８４を有する。開口８４は、操作片９２を操作可能な位置に設けられる。そして、ハウジング２とカバー８との間には、フレキシブルケーブル１０２の一端をコネクタ９００の挿入口９３に挿入するための挿入口１０３が形成される。これらの構成により、コネクタ９００の端子９４０は、カバー８によって覆われることとなる。以上より、コネクタ９００はカバー８によって覆われているので、例えば指先等で操作片９２を容易に操作できなくなる。よって、例えばフレキシブルケーブル１０２から制御信号が出力されている際に、指先等による操作片９２の操作により、フレキシブルケーブル１０２がコネクタ９００の端子９４０から外れるのを防止することができる。従って、コネクタ９００の端子９４０に対してフレキシブルケーブル１０２の一端を確実に接続して、良好に動作する光ピックアップ装置１００を提供することができる。又、例えば、光ピックアップ装置１００のＥＳＤ試験の際にＥＳＤ試験装置からの気中放電に基づく電荷は、端子９４０に供給されずに、金属製のカバー８に供給されることとなる。ＥＳＤ試験の際に、端子９４０を介してＥＳＤ試験装置からの気中放電に基づく電荷が光検出器１３、フロントモニタダイオード１９に供給されるのが防止される。つまり、光ピックアップ装置１００の静電気に対する耐性を向上させることができる。又、カバー８を取り外さずコネクタ９００の端子９４０に対するフレキシブルケーブル１０２の着脱が可能となる。従って、フレキシブルケーブル１０２の着脱が容易な、使い勝手の良い光ピックアップ装置１００を提供することができる。
【０１１６】
又、開口８４は、操作片９２と対向する位置に設けられる。この構成により、例えば操作治具５０５による操作片９２の操作が容易となる。従って、光ピックアップ装置１００の使い勝手を向上させることができる。
【０１１７】
又、コネクタ９００は、端子９４０が隣り合って複数配置される方向に沿って延在する長尺形状を呈する。開口８４は、コネクタ９００の長尺方向に沿って延在する長孔である。これらの構成により、例えば、開口８４の形状はコネクタ９００の形状に対応した形状となる。これらの構成により、操作片９２を第２位置から第１位置に移動させる際に、操作片９２が延在する方向（図１６のＸ軸）の幅が比較的長い操作治具５０５の先端を本体部９２０の縁に当接させることができる。よって、当該操作治具５０５の先端からの力が、操作片９２０の全体に対して分散して伝達されることとなる。従って、操作片９２を第２位置から第１位置に移動させる力が、例えば、本体部９２０の一点に集中して、本体部９２０が損傷するのを防止することができる。従って、光ピックアップ装置１００の耐久性を向上させることができる。又、光ピックアップ装置１００の内部における開口８４を介して露出する部分の面積を比較的小さくすることができる。従って、光ピックアップ装置１００の静電気に対する耐性をさらに向上させることできる。
【０１１８】
又、操作片９２は、端子９４０に対するフレキシブルケーブル１０２の着脱が行われるときに開口８４の周囲の縁８４３に当接する第１位置に移動する。又、操作片９２は、端子９４０に対するフレキシブルケーブル１０２の着脱行われないときに開口８４から離れた第２位置に移動する。開口８４は、操作片９２を第１位置から第２位置へ移動させるための第２切り欠き８４４を縁８４３の一部に有する。例えば、フレキシブルケーブル１０２の一端が端子９４０に接続された状態で、操作片９２を第１位置から第２位置に移動させて、端子９４０に対してフレキシブルケーブル１０２の一端を確実に接続させることができる。従って、フレキシブルケーブル１０２がコネクタ９００の端子９４０から外れるのを防止して、光ピックアップ装置１００を良好に動作させることができる。又、操作片９２が第１位置へ移動されて操作孔８４の縁８４３に当接した際に、例えば、第２切り欠き８４４に指先を押し当てて、操作片９２を第１位置から第２位置へ容易に移動させることができる。よって、例えば、コネクタ９００の端子９４０に対してフレキシブルケーブル１０２が取り付けられた後、コネクタ９００の端子９４０に対してフレキシブルケーブル１０２を確実に固定することができることとなる。従って、光ピックアップ装置１００の稼動中にフレキシブルケーブル１０２が抜けるのを防止することができる。つまり、光ピックアップ装置１００を比較的長い時間、確実に動作させ続けることができる。
【０１１９】
又、第２切り欠き８４４は、操作片９２を第１位置から第２位置へ移動させるための操作治具５０５の先端の一部が挿入される形状を呈する。この構成により、操作片９２の第１位置から第２位置への移動の操作を迅速かつ確実に行えることとなる。従って、迅速かつ確実にフレキシブルケーブル１０２を取り付けることが可能な光ピックアップ装置１００を提供することができる。
【０１２０】
又、カバー８は、接地されている金属製のカバーである。
【０１２１】
この構成により、カバー８の硬度を高めることができる。従って、例えば指先等によってカバー８が変形されてコネクタ９００の操作片９２が操作されるのを防止することができる。従って、フレキシブルケーブル１０２がコネクタ９００の端子９４０から外れるのを防止して、光ピックアップ装置１００を良好に動作させることができる。又、例えば静電気等に基づいてカバー８に供給された電荷が、接地に放電されることとなる。従って、静電気等に基づく電荷がコネクタ９００の端子９４０を介して光検出器１３、フロントモニタダイオード１９に供給されるのを防止して、光ピックアップ装置１００の静電気に対する耐性を向上させることができる。
【０１２２】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１２３】
本実施形態においては、開口８４が操作片９２と対向する位置に設けられている構成について説明したが、これに限定されるものではない。例えば、コネクタ９００から比較的遠い位置に開口８４が設けられることとしてもよい。この場合、静電気等に基づく電荷が開口８４を介してコネクタ９００の端子９４０に供給されるのを更に確実に防止することができる。従って、光ピックアップ装置１００の静電気に対する耐性を向上させることができる。
【０１２４】
又、本実施形態においては、操作片９２がケース９１の挿入口９３とは反対側に設けられる構成ついて説明したが、これに限定されるものではない。例えば、操作片９２がケース９１の挿入口９３側に設けられることとしてもよい。
【０１２５】
又、本実施形態においては、Ａ１方向又Ａ２方向に回動される操作片９２がコネクタ９００に設けられる構成について説明したが、これに限定されるものではない。例えば、コネクタ９００の端子９４０に対してフレキシブルケーブル１０２が着脱される際に、フレキシブルケーブル１０２の着脱される方向（図１２のＹ軸）に沿ってケース９１に近づく方向（＋Ｙ）又はケース９１から離れる方向（−Ｙ）に移動される操作片がコネクタ９００に設けられることとしてもよい。又、例えば、コネクタ９００の端子９４０に対してフレキシブルケーブル１０２が着脱される際に押下されるプッシュプルスイッチがコネクタに設けられることとしてもよい。
【０１２６】
又、コネクタ９００の端子９４０は、例えばタンジェンシャル方向（Ｘ軸）に沿って複数隣り合うように配置される構成について説明したが、これに限定されるものではない。例えば、端子９４０が、フレキシブルケーブル１０２の一端の形状に対応して、曲線状に互いに隣り合うように配置されることとしてもよい。
【０１２７】
又、本実施形態においては、光ピックアップ装置１００について説明したが、これに限定されるものではない。例えば、露出している端子を有するとともに回路基板が着脱されるコネクタが設けられる光ピックアップ装置１００以外の電子装置に対して、カバー８に対応するカバーを設けて、当該電子装置の静電気に対する耐性を向上させることとしてもよい。
【符号の説明】
【０１２８】
２            ハウジング
５            光ディスク
６            リジッド基板
７、８００    ＦＰＣ
８            カバー
１３          光検出器
１９          フロントモニタダイオード
８４          開口
９２          操作片
９３、１０３  挿入口
１００        光ピックアップ装置
５０５        操作治具
８４４        第２切り欠き
９００        コネクタ
９４０        端子
【図１】
2014099231.tif 000003
【図２】
2014099231.tif 000004
【図３】
2014099231.tif 000005
【図４】
2014099231.tif 000006
【図５】
2014099231.tif 000007
【図６】
2014099231.tif 000008
【図７】
2014099231.tif 000009
【図８】
2014099231.tif 000010
【図９】
2014099231.tif 000011
【図１０】
2014099231.tif 000012
【図１１】
2014099231.tif 000013
【図１２】
2014099231.tif 000014
【図１３】
2014099231.tif 000015
【図１４】
2014099231.tif 000016
【図１５】
2014099231.tif 000017
【図１６】
2014099231.tif 000018